(57)【要約】【課題】種々の径のレンズに対して簡単に対応させることが可能で、保管が容易な部品収納バスケットを提供する【解決手段】水平スリット１３およびこの水平スリット１３に対して所定角度傾斜した下部傾斜スリット１５を備えた一対の枠板１１を互いに平行に配置し、一対の枠板１１間に所定間隔で複数のレンズＬを周縁部に接触して支持するＶ溝２３ｃ、２５ｃを備えたレンズ保持枠２３、２５を、各レンズＬの周縁部を異なる二方向から支持する向きに配置し、レンズ保持枠２３、２５の軸部２３ａ、２５ａが水平スリット１３および下部傾斜スリット１５を貫通させて、さらに、枠板１１の外側に配置されたガイドプレート３１の長穴３２、穴３４を貫通させて、レンズ保持枠２３、２５がガイドプレート３１の移動に連係して上記水平スリット１３、下部傾斜スリット１５に沿って接離移動するようにした。【選択図】図１
2007181768.tif 000002
【特許請求の範囲】
【請求項１】
円形部品を互いに離反させた状態で複数保持するバスケットであって、
互いに平行に配置された一対の枠板に、穴、水平方向の水平長穴および該長穴と上記穴との間の下方に、上記水平長穴に対して所定角度傾斜した傾斜長穴が形成され、
上記各円形部品の周縁部を当接支持する当接部を備えた保持板が、上記円形部品の周縁部を三方向から支持する向きに配置され、
上記各保持板の両端部から長手方向と平行に突出した軸部が上記対応する枠板の穴、長穴および一方の傾斜長穴に挿通され、
上記板枠の外側に配置された、水平長穴を貫通した軸部が挿入される長穴と上記傾斜長穴を貫通した軸部が挿入される穴とを有し、上記各軸部を上記水平長穴および傾斜長穴に沿って連係して接離移動させる連係部材を備えたことを特徴とする部品洗浄用収納バスケット。
【請求項２】
上記傾斜長穴は、上記水平長穴に対して略４５度を成している請求項１記載の部品洗浄用収納バスケット。
【請求項３】
上記穴、水平長穴および傾斜長穴に挿入された各軸部は、上記傾斜長穴に挿入された軸部を頂点とする直角二等辺三角形の頂点となり、上記連係部材は、上記各軸部を、上記直角二等辺三角形の相似形を維持するように連係移動させる請求項２記載の部品洗浄用収納バスケット。
【請求項４】
上記連係部材は板状の部材であって、上記長穴は、上記穴に向かって延びている請求項１乃至３のいずれか一項記載の部品洗浄用収納バスケット。
【請求項５】
上記傾斜スリットを貫通し、上記連係部材の穴に挿入された軸部は、上記傾斜スリットに沿って移動自在にかつ上記連係部材に対して一体に移動自在に固定されていて、上記水平スリットおよび上記連係部材の穴に挿入された軸部には、該軸部を、上記枠板および連係部材に対して固定された固定状態と、上記水平長穴および上記長穴に拘束されて上記連係部材の長穴に対して相対移動しながら上記水平長穴に沿って移動自在な解放状態にする固定部材が装着されている請求項１乃至４のいずれか一項記載の部品洗浄用収納バスケット。
【請求項６】
上記枠板には、上記水平長穴と上記傾斜長穴との間に、該傾斜長穴と平行な上部傾斜長穴が形成されていて、上記連係部材には、上記上部傾斜長穴に対応する中間穴が形成されていて、上記上部傾斜長穴および中間穴を貫通し、上記枠板と連係部材とを挟圧して移動不能に固定し、該挟圧を解除して上記連係部材を上記傾斜長穴に沿って移動自在とする案内固定部材を備えた請求項１乃至５のいずれか一項記載の部品洗浄用収納バスケット。
【請求項７】
上記保持板は、上記枠板間に延びる長方形の板状部材であって、該板状部材の一方の長手方向縁部に沿って上記凹凸としてＶ字形状の溝が形成され、他方の長手方向縁部に軸部が固定されている請求項１乃至６のいずれか一項記載の部品洗浄用収納バスケット。
【発明の詳細な説明】
【技術分野】
【０００１】
本発明は、特に光学レンズ等の回転対称な円形部品の洗浄に適した、部品洗浄用収納バスケットに関する。
【背景技術】
【０００２】
従来、光学ガラスレンズの製造工程では、ガラス材を研削、研磨した後、洗浄を行うため、洗浄用収納バスケット、例えば特許文献１に開示された洗浄用収納バスケットや、図１０、図１１に示された洗浄用収納バスケットに詰められる。
【０００３】
図１０は従来の洗浄用収納バスケットの上面図の一部であり、図１１は同側面図である。従来の洗浄用収納バスケットは、２枚の枠板１１１（一方のみを図示）の間に、レンズＬを保持する可動式の３本の保持枠１１３を備えている。保持枠１１３は、金属製の丸棒１１４に、レンズＬの外周縁部に当接して保持する溝（凹凸）１１５ａを長辺に沿って所定間隔で有する樹脂板１１５が固定されている。各保持枠１１３は、両端部の丸棒１１４が、枠板１１１に形成された水平方向スリット１１１ａ、１１１ｂと垂直方向スリット１１１ｃに移動自在に挿通され、スリット１１１ａ乃至１１１ｃから突出した先端部に形成された雄ねじ部にナット１１７が螺合されている。そうして各保持枠１１３は、樹脂板１１５をその凹凸１１５ａがレンズＬの中心を向くように位置決めされ、ナット１１７締めによって枠板１１１に固定される。各保持枠１１３は、ナット１１７を緩めることにより、スリット１１１ａ乃至１１１ｃに沿ってスリット１１１ａ乃至１１１ｃにおいて自由に移動できるため、移動範囲内において多種の外形寸法のレンズを保持することができる。
【特許文献１】実用新案登録第２５４９３７２号公報
【発明の開示】
【発明が解決しようとする課題】
【０００４】
しかし、３本の保持枠１１３の位置調整が可能なので調整の自由度が高い半面、ナット１１７による調整箇所が多く、保持枠１１３の位置調整と同時にそれぞれの樹脂板１１５が回転してしまい、向きの調整も必要となるため、異なる外形のレンズを収納する際の調整が困難であった。このため、加工ラインの末端で、ロボットによる洗浄用収納バスケットへの枠詰めの際、保持枠１１３（樹脂板１１５）の向きが何らかの原因でずれていたためにレンズＬが抜け落ちる、といった障害を生じると、保持枠１１３の位置、向きの調整に時間がかかり、加工ラインを停止させるなどの手段も必要となり、製造効率の低下原因になっていた。
【０００５】
また、この問題を解決する一つの手段として、特許文献１に開示されているように、ホルダー部分のサイズを固定した洗浄用収納バスケットがある。しかしこのような従来構造では、異なる外径のレンズがある場合は、レンズ外径毎に専用の洗浄用収納バスケットが必要となり、大量の洗浄用収納バスケットを用意するコストと、それらの洗浄用収納バスケットを保管するスペースが必要となる問題があった。
【０００６】
本発明は、かかる従来のレンズ洗浄用収納バスケットの問題に鑑みてなされたものであって、種々の径のレンズに対して簡単に対応させることが可能で、保管が容易な部品収納バスケットを提供することを目的とする。
【課題を解決するための手段】
【０００７】
かかる課題を解決する本発明は、円形部品を互いに離反させた状態で複数保持するバスケットであって、互いに平行に配置された一対の枠板に、穴、水平方向の水平長穴および該長穴と上記穴との間の下方に、上記水平長穴に対して所定角度傾斜した傾斜長穴が形成され、上記各円形部品の周縁部を当接支持する当接部を備えた保持板が、上記円形部品の周縁部を三方向から支持する向きに配置され、上記各保持板の両端部から長手方向と平行に突出した軸部が上記対応する枠板の穴、長穴および一方の傾斜長穴に挿通され、上記板枠の外側に配置された、水平長穴を貫通した軸部が挿入される長穴と上記傾斜長穴を貫通した軸部が挿入される穴とを有し、上記各軸部を上記水平長穴および傾斜長穴に沿って連係して接離移動させる連係部材を備えたことに特徴を有する。
【０００８】
上記傾斜長穴は、上記水平長穴に対して略４５度をなすように形成するのが好ましい。この場合、上記穴、水平長穴および傾斜長穴に挿入された各軸部は、上記傾斜長穴に挿入された軸部を頂点とする直角二等辺三角形の頂点となり、上記連係部材は、上記各軸部を、上記直角二等辺三角形の相似形を維持するように連係移動させる。この構成によれば、円形部品を直径方向および下端部で支持することが可能になる。
【０００９】
上記連係部材は板状の部材であって、上記長穴は、上記穴に向かって延びている。
【００１０】
より実際的には、上記傾斜スリットを貫通し、上記連係部材の穴に挿入された軸部は、上記傾斜スリットに沿って移動自在にかつ上記連係部材に対して一体に移動自在に固定されていて、上記水平スリットおよび上記連係部材の穴に挿入された軸部には、該軸部を、上記枠板および連係部材に対して固定された固定状態と、上記水平長穴および上記長穴に拘束されて上記連係部材の長穴に対して相対移動しながら上記水平長穴に沿って移動自在な解放状態にする固定部材が装着される。
【００１１】
また、上記保持板の実施形態では、上記枠板間に延びる長方形の板状部材であって、該板状部材の一方の長手方向縁部に沿って上記凹凸としてＶ字形状の溝が形成され、他方の長手方向縁部に軸部が固定される。
【発明の効果】
【００１２】
本発明によれば、収納する部品のサイズが変わっても、可動の２枚の保持枠は連係部材に連係して移動するので、調整すべき部材が少なく、調整操作が大変簡単になる。
【発明を実施するための最良の形態】
【００１３】
本発明の実施形態について、添付の図面を参照して説明する。図１は本発明の実施形態であるバスケットの斜視図、図２は同バスケットに使用されるガイドプレートの斜視図、図３は同バスケットの側面図、図４は同を一部透過して示した側面図、図５はバスケットの枠板を示す側面図である。
【００１４】
本発明のレンズ洗浄用収納バスケットは、所定間隔で保持される２枚の枠板１１と、２枚の枠板１１間に円形部品として複数のレンズＬを保持する３枚のレンズ保持枠（部品保持枠）２１、２３、２５を備えている。レンズ保持枠２１、２３、２５は枠板１１の前後方向に所定間隔で３組備えている。また、両枠板１１は、４個の角部がそれぞれ、固定棒５１およびナット５２によって固定されている。枠板１１はステンレスで形成されている。
【００１５】
各枠板１１には、各組のレンズ保持枠２１、２３、２５を保持するための固定穴１２、スリット（長穴）１３、１４、１５が形成されている（図５参照）。枠板１１の上辺近傍に、基準となる固定穴１２が形成され、固定穴１２から水平方向に所定長離れて、水平方向に延びる水平スリット（水平長穴）１３が形成され、さらに水平スリット１３の下方に、水平方向に対して略４５度傾斜して固定穴１２方向に高くなる、下部傾斜スリット（傾斜穴）１４が形成されている。さらに下部傾斜スリット１４と水平スリット１３との間に、下部傾斜スリット１４と平行に上部傾斜スリット１５が形成されている。また、下方の傾斜スリット１４は、その延長上に固定穴１２が位置するように形成されている。
【００１６】
各レンズ保持枠２１、２３、２５は、両枠板１１から突出した軸部２１ａ、２３ａ、２５ａと、両枠板１１間に位置し、長手方向の一方の縁部がこの軸部２１ａ、２３ａ、２５ａに固定され、他方の長手方向縁部に、レンズＬを保持する凹凸部として所定間隔で多数のレンズ支持用のＶ溝２１ｃ、２３ｃ、２５ｃが形成された板状枠部２１ｂ、２３ｂ、２５ｂを備えている。各Ｖ溝２１ｃ、２３ｃ、２５ｃの両斜面がレンズＬの周縁部に当接してレンズＬを保持する構造である。
【００１７】
各レンズ保持枠２１、２３、２５の軸部２１ａ、２３ａ、２５ａは、例えばステンレスで形成され、板状枠部２１ｂ、２３ｂ、２５ｂは、例えばフッ素樹脂で形成されている。そうして軸部２１ａ、２３ａ、２５ａは、フッ素樹脂からなる板状枠部２１ｂ、２３ｂ、２５ｂに形成されたＶ溝２１ｃ、２３ｃ、２５ｃとは反対側の長手方向縁部にモールド成形されている。
【００１８】
第１レンズ保持枠２１の軸部２１ａの両先端部は、枠板１１の固定穴１２を貫通し、第２レンズ保持枠２３の軸部２３ａの両先端部は水平スリット１３を貫通し、第３レンズ保持枠２５の軸部２５ａの両先端部は下部傾斜スリット１４を貫通している。
【００１９】
軸部２１ａの両先端部には細径の雄ねじ部２１ａ１が形成されていて、この雄ねじ部２１ａ１が固定穴１２を貫通して突出している。なお、軸部２１ａの直径は、固定穴１２に嵌らないように固定穴１２の内径よりも大きく設定されている。固定穴１２を貫通して突出した雄ねじ部２１ａ１にナット２２が螺合され、軸部２１ａの端面とナット２２とにより枠板１１を挟圧することで、第１レンズ保持枠２１は枠板１１に対して固定されている。なお、固定に際して、板状枠部２１ｂが水平スリット１３と平行になるように位置決めされる。
【００２０】
第２、第３レンズ保持枠２３、２５の軸部２３ａ、２５ａの両先端部には細径の雄ねじ部２３ａ１、２５ａ１が形成されていて、雄ねじ部２３ａ１、２５ａ１が枠板１１の対応する水平スリット１３、下部傾斜スリット１４に挿通されている。水平、下部傾斜スリット１３、１４の幅は、雄ねじ部２３ａ１、２５ａ１は挿入できるが軸部２３ａ、２５ａは挿入できないように形成されている。
【００２１】
枠板１１のスリット１３、１４から突出した雄ねじ部２３ａ１、２５ａ１には、ガイドプレート（補助板）３１のスリット（長穴）３２および穴３４が嵌合されている。スリット３２は、ガイドプレート３１の長手方向に沿って穴３４方向に延びる長穴である。
【００２２】
ガイドプレート３１のスリット３２から突出した雄ねじ部２３ａ１に固定部材を構成するナット２４が螺合されている。このナット２４を締結方向に回転させると、軸部２３ａと雄ねじ部２３ａ１の境界端面およびナット２４により、ガイドプレート３１および枠板１１を挟圧して、第２レンズ保持枠２３を枠板１１に対して固定することができる。ナット２４を弛緩方向に回転させると、ナット２４が軸部２３ａと雄ねじ部２３ａ１の境界端面から離反してガイドプレート３１と枠板１１とが自由に相対移動可能になり、雄ねじ部２３ａ１は水平スリット１３に沿って自由に移動できるようになる。
【００２３】
ガイドプレート３１の穴３４から突出した雄ねじ部２５ａ１には、固定部材を構成するナット２６が螺合されている。本実施形態では、第３レンズ保持枠２５を、枠板１１に対しては相対移動自在に、かつガイドプレート３１に対しては固定して一体に移動できる構造としてある。
【００２４】
ガイドプレート３１にはさらに、スリット３２と穴３４との間に固定穴３３が穿たれている（図２）。そうして、枠板１１の上部傾斜スリット１５から挿入されたボルト４１がこの固定穴３３を貫通し、固定穴３３から突出した端部に、固定部材を構成するナット４２が螺合されている。したがって、ナット４２を締結方向に回動させると、ガイドプレート３１および枠板１１が挟圧されてガイドプレート３１が枠板１１に対して固定され、ナット４２を弛緩方向に回動させると解放状態になり、ガイドプレート３１が枠板１１に対して移動自在になる。ガイドプレート３１が枠板１１に対して固定されると、第２、第３レンズ保持枠２３、２５も水平スリット１３、下部傾斜スリット１４に沿った移動ができなくなる。ガイドプレート３１、ナット２４、２６、４２およびボルト４１は、例えばステンレスで形成されている。
【００２５】
図３には、全て同一径のレンズＬを保持する場合の設定を示してあり、図４には、小径レンズＬＳ、中径レンズＬＭ、大径レンズＬＬの三種類のレンズＬＳ、ＬＭ、ＬＬを保持する場合の設定を示している。なお、図３において、小径レンズＬＳは、ガイドプレート３１を透視した（除いた）状態で示してある。
【００２６】
第３レンズ保持枠２５を、ガイドプレート３１に一体に固定し、かつ枠板１１の下部傾斜スリット１４に沿って自由に移動できる構造について、図７を参照して説明する。軸部２５ａの端部に形成された細径の雄ねじ部２５ａ１には、枠板１１の厚さよりもやや厚い筒状のスペーサ２７が嵌合されている。スペーサ２７の外径は、下部傾斜スリット１４に挿入可能かつ軸部２５ａの径よりも細く形成されている。一方、ガイドプレート３１の穴３４は、スペーサ２７の外径よりも小径に、スペーサ２７に嵌らないように形成されている。したがって、ナット２６が締結方向に回動されると、軸部２５ａの端面とガイドプレート３１によってスペーサ２７が挟圧されて、軸部２５ａがガイドプレート３１に対して固定され、一体に移動可能となる。一方、枠板１１および下部傾斜スリット１４との間には僅かな隙間が確保されるので、下部傾斜スリット１４に沿って移動自在にガイドされる。
【００２７】
この実施例によれば、第３レンズ保持枠２５をその板状枠部板状枠部２５ｂが垂直（鉛直）方向を向くように調整してガイドプレート３１にナット２６により締結固定しておけば、その後、垂直方向を維持してガイドプレート３１と一体に下部傾斜スリット１４に沿って平行移動するので、レンズ径に応じた調整の際にナット２６を緩める必要がない。
【００２８】
別の実施例では、ガイドプレート３１の穴３４を下部傾斜スリット１４と平行なスリットとする（図示せず）。スリットにすれば、ガイドプレート３１に対する位置調整、および第１、第２レンズ保持枠２１、２３に対する相対位置調整が可能になる。
【００２９】
次に、ガイドプレート３１を、上部、下部傾斜スリット１５、１４に沿って平行移動自在にガイドする構造の実施例について、図８および図９を参照して説明する。この実施例は、Ｔ溝ナット４３を使用していて、図８は、Ｔ溝ナット４３を軸線よりも上半分を縦断した正面図である。図９は、（Ａ）がＴ溝ナット４３の側面図、（Ｂ）がＴ溝ナット４３の正面図である。Ｔ溝ナット４３は、軸線方向から見て長方形を呈し、長方形の短手方向から見て凸形状を呈し、凸形状の突部の長手方向が互いに平行なガイド面４４となっている。
【００３０】
このＴ溝ナット４３にボルト４１（その雄ねじ部４１ａ）に螺合してから、枠板１１の上部傾斜スリット１５側からガイドプレート３１の固定穴３３に挿入する。ガイド面４４は、ガイドプレート３１の固定穴３３からは突出しない高さに形成されている。Ｔ溝ナット４３から固定穴３３を貫通して突出したボルト４１の雄ねじ部４１ａに、ナット４２を螺合する。
【００３１】
Ｔ溝ナット４３は平行なガイド面４４が上部傾斜スリット１５および固定穴３３に嵌合し、上部傾斜スリット１５の内面および固定穴３３の内面に接触しているので、ナット４２を弛緩している状態でも、Ｔ溝ナット４３が上部傾斜スリット１５、固定穴３３に拘束されて回転せず、かつこれらの内面と摺接して自由に直進移動できる。つまり、ガイドプレート３１は、上部傾斜スリット１５に対する回転が阻止され、かつ上部傾斜スリット１５に沿って平行移動自在にガイドされる。
【００３２】
さらにナット４２を締結方向に回動させると、Ｔ溝ナット４３とによりガイドプレート３１と枠板１１とが圧接されるので、ガイドプレート３１は枠板１１に対して移動および回転不能に固定される。
【００３３】
以上の構成によれば、ナット２４、２６を締結方向に回動させるとガイドプレート３１が枠板１１に対して圧接され、移動不能に固定される。ナット２４、２６を弛緩方向に回動させると、ガイドプレート３１が枠板１１に対して移動自在となり、第２、第３レンズ保持枠２３、２５も水平スリット１３、下部傾斜スリット１４に沿って移動可能になる。したがって第２、第３レンズ保持枠２３、２５の一方を水平スリット１３に沿ってまたは下部傾斜スリット１４に沿って移動させると、ガイドプレート３１に拘束されて他方の第３、第２レンズ保持枠２５、２３も下部傾斜スリット１４または水平スリット１３に沿って接離方向に連係移動する。ガイドプレート３１を移動させても、第２、第３レンズ保持枠２３、２５が同様に接離方向に連係移動する。
【００３４】
第１、第２、第３レンズ保持枠２１、２３、２５のＶ溝２１ｃ、２３ｃ、２５ｃは、第１、第２、第３レンズ保持枠２１、２３、２５が枠板１１、ガイドプレート３１により装着された状態で、Ｖ溝２１ｃ、２３ｃを結ぶ線を底辺とし、Ｖ溝２５ｃを頂点とする略直角二等辺三角形を成すように形成されている。つまり、第１、第２、第３レンズ保持枠２１、２３、２５のＶ溝２１ｃ、２３ｃ、２５ｃは、レンズＬを最下点および直径を挟む２点の計３点で保持するように形成されている。そうして第２、第３レンズ保持枠２３、２５が、略直角二等辺三角形の相似形を維持して拡大、縮小する方向に連係移動するように、水平スリット１３、下部傾斜スリット１４およびガイドプレート３１が形成されている。つまり、第１、第２レンズ保持枠２１、２３は、レンズＬの径にかかわらず、レンズＬの中心を通る水平線位置を支持し、かつ第３レンズ保持枠２５はレンズＬの最下端位置（中心を通る鉛直線上の位置）を支持する。
【００３５】
『調整操作』
異なる径のレンズＬに対応させるときの調整操作および各部材の動きを図６を参照して説明する。図６において、ガイドプレート３１を左上方向にスライドさせる場合の、実際の移動方向を太線矢印で示し、相対的な移動方向を白抜き矢印で示した。
【００３６】
まず、ナット２４および２６を弛緩方向に回動させて、両側のガイドプレート３１を移動可能にする。
次に、両側のガイドプレート３１を傾斜スリット１４、１５に沿って左上方に移動させて、位置調整する。その際、目的のレンズＬまたは同一形状のダミーをＶ溝２１ｃ、２３ｃ、２５ｃに載せて調整してもよい。
ガイドプレート３１の位置が決まると、第２レンズ保持枠２３の方向を決めてからナット２４を締結方向に回動させ、さらにナット２６を締結方向に回動させて固定する。ナット２４、２６を締結する順は問わない。
【００３７】
以上の操作によって、調整が完了する。このように本発明の実施形態によれば、３枚のレンズ保持枠２１、２３、２５のうち、第１レンズ保持枠２１は一度固定すれば調整不要であり、第３レンズ保持枠２５は一度単独で調整すれば、その後はガイドプレート３１に連動して移動するので、単独で調整する必要がなくなる。このように本実施形態によれば、実質的には、第２レンズ保持枠２３を調整すれば調整操作が済むので、調整操作が大変簡単である。
【００３８】
また、図示実施形態では、第２レンズ保持枠２３は、レンズ径変更の際にナット２４を緩めると軸部２３ａを軸として回転する構成であったが、水平スリット１３に嵌る軸部２３ａを予め矩形とし、かつ板状枠部２３ｂが水平スリット１３と平行になるように形成しておけば、板状枠部２３ｂの傾きを調整する必要がなくなる。
【００３９】
本実施形態では、第１、第２、第３レンズ保持枠２１、２３、２５を枠板１１、ガイドプレート３１に固定、解放する部材としてボルトおよびナット構造を使用したが、ボルトおよびナット構造に限定されない。
【図面の簡単な説明】
【００４０】
【図１】本発明を適用したバスケットの実施形態を示す斜視図である。
【図２】同実施形態において使用されるガイドプレートの実施例を示す斜視図である。
【図３】同バスケットに同一直径のレンズを収納した状態を示す側面図である。
【図４】同バスケットに異なる直径のレンズを収納し、一部透視して示す側面図である。
【図５】同バスケットを構成する枠板の正面図である。
【図６】同バスケットにおいて収納するレンズ径を変える場合の各部材の動きを説明する側面図である。
【図７】同バスケットにおいて、第３レンズ保持枠を回転せずに傾斜移動する構造を示す、軸線より上半分を縦断して示した正面図である。
【図８】同バスケットにおいて、ガイドプレートを回転せずに平行移動自在にガイドする構造に使用されるＴ溝ナットを軸線より上半分を縦断して示した正面図である。
【図９】は、（Ａ）がＴ溝ナット４３の側面図、（Ｂ）が正面図である。
【図１０】従来のバスケットの平面図である。
【図１１】従来のバスケットを示す図であって、同図左は枠板を除いて示した側面図、同図中央は側面透視図、同図右は側面図である。
【符号の説明】
【００４１】
１１  枠板
１２  固定穴
１３  水平スリット
１４  下部傾斜スリット
１５  上部傾斜スリット
２１  第１レンズ保持枠
２２  ナット
２３  第２レンズ保持枠
２４  ナット
２５  第３レンズ保持枠
２１ａ  ２３ａ  ２５ａ  軸部
２１ａ１  ２３ａ１  ２５ａ１  雄ねじ部
２１ｃ  ２３ｃ  ２５ｃ  Ｖ溝（Ｖ字形状の溝）
２６  ナット
３１  ガイドプレート
３２  スリット
３３  固定穴
３４  穴
４１  ボルト
４２  ナット
【図１】
2007181768.tif 000003
【図２】
2007181768.tif 000004
【図３】
2007181768.tif 000005
【図４】
2007181768.tif 000006
【図５】
2007181768.tif 000007
【図６】
2007181768.tif 000008
【図７】
2007181768.tif 000009
【図８】
2007181768.tif 000010
【図９】
2007181768.tif 000011
【図１０】
2007181768.tif 000012
【図１１】
2007181768.tif 000013